(57)【要約】【課題】本発明の目的は、料金装置を小型化することである。【解決手段】受け入れた貨幣の真贋及び金種を識別し、真偽貨幣を分別する識別装置と、前記識別装置からの真貨幣を保留し、かつ、選択的に返却及び受け入れ可能な保留装置と、識別装置から受けた金種情報を積算する積算装置と、積算装置の積算値が設定値と一致したとき、前記保留装置を受け入れ状態にし、かつ、一致しないとき返却状態にする制御装置とを有する料金装置である。【選択図】図２
2004133819.tif 000002
【特許請求の範囲】
【請求項１】
受け入れた貨幣（３０、３１）の真偽及び金種を識別し、真偽貨幣を分別する識別装置（１０、１３）と、
前記識別装置（１０、１３）からの真貨幣を保留し、かつ、選択的に返却及び受け入れ可能な保留装置（２Ａ、１５）と、
前記識別装置（１０、１３）から受けた金種情報を積算する積算装置（Ｓ２）と、
前記積算装置（Ｓ２）の積算値が設定値と一致したとき、前記保留装置（２Ａ、１５）を受け入れ状態にし、かつ、一致しないとき返却状態にする制御装置（１４）とを有する料金装置。
【請求項２】
前記貨幣識別装置が、硬貨選別装置（８、１３）である請求項１の料金装置。
【請求項３】
前記貨幣識別装置が紙幣識別装置（１０）である請求項１の料金装置。
【請求項４】
前記制御装置（１４）が、設定値以下の金種を入力した場合、所定時間内に新たな入金がない場合、保留装置（２Ａ、１５）を返却状態にする請求項１の料金装置。
【発明の詳細な説明】
【０００１】
【発明が属する技術分野】
本発明は、料金装置に関する。
特に、バス、路面電車、ケーブルカー等小型の交通機関の社内に設置される料金装置に関する。
【０００２】
【従来の技術】
バス等に搭載される料金装置は、限られた車内に設置することから小型であることが求められる。
従来装置は、硬貨や紙幣を投入し、料金よりも多い場合、釣り銭を払い出すため、釣り銭装置を備えていた。
また、代金の決済手段は多様化し、磁気カードやＩＣカードが用いられるようになっており、バス等の交通機関の料金装置においてもそれらを使用できることが求められている。
【０００３】
【発明が解決しようとする課題】
バス等の料金装置において、貨幣の識別受け入れ装置及び釣り銭装置に加え、磁気カードやＩＣカードの処理装置を加えた場合、料金装置は大型化し、車内に設置する装置として好ましくない。
さらに、釣り銭用硬貨等の現金を多量に車載することは、盗難のおそれもあり、好ましくない。
【０００４】
本発明の第１の目的は、料金装置を小型化することである。
本発明の第２の目的は、多様な決済手段を使うことができる料金装置を提供することである。
【０００５】
【課題を解決するための手段】
この目的を達成するため、本発明にかかる料金装置は以下のように構成されている。
受け入れた貨幣の真偽及び金種を識別し、真偽貨幣を分別する識別装置と、前記識別装置からの真貨幣を保留し、かつ、選択的に返却及び受け入れ可能な保留装置と、識別装置から受けた金種情報を積算する積算装置と、積算装置の積算値が設定値と一致したとき、前記保留装置を受け入れ状態にし、かつ、一致しないとき返却状態にする制御装置とを有する料金装置。
【０００６】
この構成において、貨幣の識別装置によって真硬貨及び真紙幣と判別されて保留装置に保留された貨幣が設定料金と一致したときのみ、受け入れられ、設定料金よりも多い場合や少ない場合は返却される。
すなわち、現金である貨幣の場合、投入された金額が設定金額と一致しないときは返却されることから、釣り銭装置を装着せずともよいので、装置を小型化できる。
また、多額の釣り銭を保有しないので、盗難の恐れも減少する。
【０００７】
本発明は、制御装置が、設定値以下の金種を入力した場合、所定時間内に新たな入金がない場合、保留装置を返却状態にすることが好ましい。
この構造は、設定金額と硬貨或いは紙幣の金種とが一致しない場合であっても、他金種の硬貨或いは紙幣と合算することにより、設定金額に一致した場合、保留された貨幣が料金として収納される。
したがって、複数の金種の貨幣を使用できるので、利用者にとって便利である。また、設定金額にならない場合、所定時間経過後返却されるので、貨幣投入後、設定金額がないことに気づいた場合、投入貨幣は返却される。
【０００８】
【発明の実施の形態】
図１は、実施例の料金装置の全体斜視図である。
図２は、実施例の料金装置の概要図である。
図３は、実施例の料金装置のフローチャートである。
【０００９】
料金装置１は、箱形であり、乗車口に面した正面上部に紙幣識別受入装置２の紙幣受け入れ口３と、磁気カード挿入口４及び、硬貨の払い出し口５が配置されている。
傾斜上面６には、ＩＣカードのアンテナ７と、硬貨選別装置８の硬貨投入口９が配置されている。
【００１０】
紙幣識別受入装置２は、紙幣識別装置１０を有している。
硬貨選別装置８は、硬貨のガイドレール１１に沿ってコイル式のセンサ１２Ａ、１２Ｂ、１２Ｃが配置され、硬貨識別装置１３に接続されている。
紙幣識別装置１０及び硬貨識別装置１３は、制御装置１４に接続されている。
制御装置１４はたとえばマイクロプロセッサである
【００１１】
紙幣識別装置１０は、受け入れた紙幣３１の真贋を判別し、偽紙幣の場合、受入口３に戻す。
真紙幣の場合、その金種を制御装置１４に出力すると共に紙幣３１を紙幣保留装置２Ａに保留した後、受け入れる場合、収納部２Ｂに収納する。
【００１２】
次に硬貨識別装置１３は、硬貨の真贋を判別し、偽貨の場合、ゲート１６を開かない。
したがって、偽貨は偽貨ガイド１７にガイドされた後、払い出し口５に案内される。
正貨の場合、硬貨はゲート１６が開かれて落下し、硬貨保留装置１５に保留される。硬貨保留装置１５は、支軸１８を支点にピボット運動可能な返却底板１９と、支軸２１を支点にピボット運動可能な受入板２２を有する。
【００１３】
返却底板１９は、ローターソレノイド２３によって、受入底板２２は、ローターソレノイド２４によってピボット運動される。
通常、返却底板１９と受入底板２２は、反対方向に回動されて保留底２５を構成し、正貨が保留底２５上に保留される。
【００１４】
返却底板１９がロータリーソレノイド２３によって時計方向に回動された場合、その下方に配置された傾斜ガイド板２６上を滑った後、返却口５に案内される。
受入底板２２がロータリーソレノイド２３によって回動された場合、その下方に配置された第二傾斜ガイド板２７上を滑った後、金庫２８に保留される。
【００１５】
次に制御装置１４を説明する。
制御装置１４は、硬貨識別装置１３から真貨幣の金種情報を受け、その情報が設定金額であるとき、駆動装置２９に指示信号を出力し、ロータリーソレノイド２４を作動して受入底板２２を反時計方向にピボット運動させ、硬貨を金庫２８に受け入れる。設定金額よりも多い場合、駆動装置２９によってロータリーソレノイド２３を作動させて返却底板１９を時計方向にピボット運動させ、一時保留した硬貨を返却口５に戻す。
【００１６】
次に本実施例の作用を説明する。
料金が１ドルのケースを例に説明する。
利用者が１ドル硬貨３０を硬貨投入口９に投入した場合、ガイドレール１１上を転がる硬貨３０はセンサ１２Ａ、１２Ｂ、１２Ｃから得られる信号に基づいて硬貨識別装置１３において真偽を判定される。
【００１７】
偽貨の場合、ゲート１６が開かないため、偽貨ガイド１７を経由して返却口５に戻される。
正貨の場合、ゲート１６が開かれるため、硬貨３０は硬貨保留装置１５に保留される。制御装置１４において、まずステップＳ１で金種情報の有無を判別する。
すなわち、金種情報がある場合、ステップＳ２に進み、１ドルが積算される。
このステップＳ２が積算装置に相当する。
【００１８】
次にステップＳ３において、設定金額である１ドルと比較され、それらが等しいのでステップＳ４に進み、受入処理を行う。
すなわち、ロータリーソレノイド２４を作動させて受入底板２２を反時計方向へピボット運動させ、一時保留された硬貨３０を第二傾斜ガイド板２７上を滑らせて金庫２８に受け入れる。
【００１９】
もし、投入された硬貨が２ドルの場合、ステップＳ３において設定金額と異なるのでステップＳ５に進む。
ステップＳ５において設定金額よりも大きいのでステップＳ６に進み、返却処理をおこなう。
すなわち、ロータリーソレノイド２３を作動して返却底板１９を時計方向に回動させ、一時保留した硬貨３０を傾斜ガイド板２６上を滑らせて返却口５へ戻す。
【００２０】
投入された硬貨３０が５０セントの場合、ステップＳ５からステップＳ７に進み、金種情報信号から所定時間が経過したか判別する。
所定時間経過していない場合、ステップＳ１に戻り、所定時間経過している場合、ステップＳ６に進み、前述の返却処理を行う。
【００２１】
所定時間の間に次の硬貨信号が投入された場合、ステップＳ２において積算される。
たとえば、再び５０セントが投入された場合、積算値は１ドルであるから、ステップＳ４に進み、前述の受入処理が行われる。
【００２２】
前記実施例においては硬貨のみの例を説明したが、紙幣３１との組み合わせで料金が設定可能な場合、紙幣識別装置１０の識別信号に基づいて前述の実施例と同様に処理可能である。
その場合、紙幣識別受入装置２は、紙幣保留装置２Ａに保留した紙幣３１を受入口３に戻す。
【００２３】
【図面の簡単な説明】
【図１】図１は、実施例の料金装置の全体斜視図である。
【図２】図２は、実施例の料金装置の概要図である。
【図３】図３は、実施例の料金装置のフローチャートである。
【符号の説明】
Ｓ２　　積算装置
２Ａ　　紙幣保留装置
８　　　硬貨選別装置
１０　　紙幣識別装置
１３　　硬貨識別装置
１４　　制御装置
１５　　硬貨保留装置
３０　　硬貨
３１　　紙幣
【図１】
2004133819.tif 000003
【図２】
2004133819.tif 000004
【図３】
2004133819.tif 000005